(57)【要約】【課題】折りたたみや巻き取り等による収納と使い勝手の良さ及び耐久性を具備した敷ふとん又は掛ふとん等のふとん。【解決手段】中芯１は、ふとん幅に等しい又は略等しい長さの柱状又は棒状であって、縦積層材料により形成され、複数（例えば２０個等）設けられる。中芯被覆布地２は、複数中芯１を覆うためのものである。ふとん側３は、ふとん長に等しくなる又は略等しくなる個数中芯１を、各中芯１又は各中芯１を覆う中芯被覆布地２の一面と接するように中芯被覆布地２により縫合又は接合して連結する。【選択図】　図１
2004141373.tif 000002
【特許請求の範囲】
【請求項１】
ふとん幅に等しい又は略等しい長さの柱状又は棒状であって、縦積層材料により形成された複数の中芯と、
複数の前記中芯を覆うための中芯被覆布地と、
ふとん長に等しくなる又は略等しくなる個数の前記中芯を、複数の各前記中芯の一面と接するように、又は、各前記中芯を各々覆う前記中芯被覆布地の一面と接するように、前記中芯被覆布地により縫合又は接合して連結するためのふとん側と、
を備えたふとん。
【請求項２】
前記中芯の断面は、長方形、台形、円形、楕円形、円形又は楕円形の一部等の適宜の形状であることを特徴とする請求項１に記載のふとん。
【請求項３】
前記中芯は、前記ふとん側の反対側の柱状又は棒状の表面、側面、前記ふとん側と接する面のいずれか又は複数面に凹凸部又は溝を有することを特徴とする請求項１又は２に記載のふとん。
【請求項４】
前記中芯の各々は、体圧に応じてそれぞれ異なる固さであることを特徴とする請求項１乃至３のいずれかに記載のふとん。
【請求項５】
前記中芯被覆布地は、スリット、ファスナー、チャック、ボタン等を用いた開閉部を側面に有し、前記中芯を出し入れすることができるようにしたことを特徴とする請求項１乃至４のいずれかに記載のふとん。
【請求項６】
前記ふとん側は、側地、又は、打綿としてポリエステル等の化学繊維や綿等の天然繊維の詰物を側地で挟んだキルト、で構成されたことを特徴とする請求項１乃至５のいずれかに記載のふとん。
【発明の詳細な説明】
【０００１】
【発明の属する技術分野】
本発明は、ふとんに係り、特に、中芯にポリエステル固綿等の縦積層材料を有し、折りたたみや巻き取り等による収納と使い勝手の良さ及び耐久性を具備した敷ふとんに関する。なお、本発明のふとんは、敷ふとんの限らず、掛ふとん、マット、マットレス等の各種ふとんを含む。
【０００２】
【従来の技術】
従来の敷ふとんは、セパレーツタイプではなく、１枚の板状又はせいぜい３〜４枚の板状に中芯が分割された一体型が一般的だった。また、従来の敷ふとんにおいては、中芯として横積層のポリエステル等の固綿を用いていた。
【０００３】
特許文献１は、連結することにより、大きさの異なる２種類の硬綿材を両端とその間で組み合わせて二つ折りもしくは三つ折りが自在にできる折り畳み式構造の寝具敷ふとんに関する。
【０００４】
特許文献２は、気体が注入されることにより膨張するエアセルが複数連結され、連結されたエアセルが複数の組に分割され、複数の組毎にそれぞれ気体を注入するための注入部を有するエアセルマットと、そのエアセルマットを中芯として包むための覆い部とを備えた布団が記載されている。
【特許文献１】
特開平１０−２８６１４５号公報
【特許文献２】
特願２０００−３２４０号
【０００５】
【発明が解決しようとする課題】
しかしながら、従来の一体型の敷ふとんは、上げ下ろしに利便性を欠き、収納に関しても大きなスペースをとる等の課題があった。また、従来の敷ふとんの中芯は横積層となり、体圧分散の機能が必ずしも十分でなく、長時間使用による「へたり」が生ずる傾向にある。
【０００６】
本発明は、以上の点に鑑み、例えば、次のような目的を達成する。
・本発明は、中芯が多数個、例えば２０個の個数を備えて、従来、ポリエステル等の固綿の難点であった通気性を格段に改善すること。
・本発明は、このように多数の中芯を備えていることにより、従来体圧が強くかかる所とまわりの中芯も全体的に沈みこんでいたが、体圧のかかる所の中芯のみ沈みこむため身体全体に体圧を分散させやすく改善すること。また、長時間の寝姿勢を維持することに対する苦痛を和らげること。
・中芯の片面に直接打綿わた等のふとん側を縫い付けているため、ふとん側のわた面を表面として使用することにより、ソフトなやわらかい感触とし、一方、中芯面を表面として使用することによりハードな感触として、ユーザーは好みの固さを選べること。
・中芯のポリエステルの積層が、通常は、横向きのため、長時間圧力をかけていると、へたりやすいものであったが、本発明は、積層を縦向きにしているため長時間の圧力でもへたりにくくすること。
・３つ折り４つ折り等の複数に折っても、ロール状としても収納を可能とし、利便性を良くすること。
【０００７】
【課題を解決するための手段】
本発明の解決手段によると、
ふとん幅に等しい又は略等しい長さの柱状又は棒状であって、縦積層材料により形成された複数の中芯と、
複数の前記中芯を覆うための中芯被覆布地と、
ふとん長に等しくなる又は略等しくなる個数の前記中芯を、複数の各前記中芯の一面と接するように、又は、各前記中芯を各々覆う前記中芯被覆布地の一面と接するように、前記中芯被覆布地により縫合又は接合して連結するためのふとん側と、
を備えたふとんを提供する。
【０００８】
【発明の実施の形態】
図１に、本発明に係るふとんの外観構成図を示す。図中、（Ａ）は側面図、（Ｂ）は表面（又は裏面）を表した平面図、（Ｃ）は裏面（又は表面）を表した底面図である。
【０００９】
この図はふとんの外観図では、中芯１、中芯被覆布地２、ふとん側３が示される。中芯１は、ふとん幅に等しい又は略等しい長さの柱状又は棒状であって、縦積層材料により形成され、複数（例えば２０個等）設けられる。中芯被覆布地２は、複数中芯１を覆うためのものである。ふとん側３は、ふとん長に等しくなる又は略等しくなる個数中芯１を、各中芯１又は各中芯１を覆う中芯被覆布地２の一面と接するように中芯被覆布地２により縫合又は接合して連結する。
【００１０】
図２に、本発明に係るふとんの部分拡大図を示す。また、図３に、本発明に係るふとんの部分断面図を示す。
【００１１】
各々の図中、（Ａ）の第１の実施の形態では、中芯被覆布地２は、全ての又は所定数の複数の中芯１を覆い、ふとん側３に縫合又は接合され、中芯１の一面はふとん側３に接する構成としている。一方、各々の図中（Ｂ）の第１の実施の形態では、中芯被覆布地２は、個々の中芯１を覆い、ふとん側３に縫合又は接合されている。
【００１２】
以下各部について詳細に説明する。
中芯１は、棒状（筒状）・柱状であり、複数が連結される構成となっているので、ふとんを巻いたり折りたたむことでコンパクトに収納することができる。中芯１は、天然固綿材又はポリエステル等の化学固綿材の縦積層材料を用いることができる。中芯１の断面は、長方形、台形、円形、楕円形、円形又は楕円形の一部等の適宜の形状とすることができる。中芯１は、ふとん側３の反対側の柱状又は棒状の表面、側面、ふとん側３と接する面のいずれか又は複数面に凹凸部又は溝を有するようにしてもよい。これにより通気性が一層よくなる。さらに、中芯１の各々は、体圧に応じてそれぞれ異なる固さとすることができる。これによって、体の部位によって固さ・圧力・体感を変えることができ、顧客のニーズに対応可能とすることができる。なお、中芯１のその長さ、大きさ、個数等も適宜定めることができる。
【００１３】
中芯被覆布地２は、スリット、ファスナー、チャック、ボタン等を用いた開閉部を側面に有し、中芯１を取り外すことができるようにしてもよい。中芯被覆布地２は、例えば、綿１００％など天然素材、化学繊維素材、ビニール、ポリエステルタフタ等のタフタ等の適宜の生地を使用することができる。また、場合によっては、適宜中綿や内地を具備しても良い。
【００１４】
ふとん側３は、側地３４のみで構成したり、打綿としてポリエステル等の化学繊維や綿等の天然繊維の詰物３３を側地３４で挟んだ多頭キルト等のキルト３２で構成することができる。ふとん側３の側地３４としては、例えば、綿１００％など天然素材、化学繊維素材、ビニール、ポリエステルタフタ等のタフタ等の適宜の生地を使用することができる。詰物３３（中綿）は、適宜の量、厚さ、固さ等とすることができ、さらに、材料も綿に限らず、天然材料、機能綿（防ダニ綿、遠赤綿、羊毛、水で丸洗い可能な綿等）、ポリエステル等の化学材料、羽毛、ビーズ、スチロール、樹脂等、適宜の材料を用いることができる。キルト３２は、例えば、多頭キルト等を採用することができ、また、キルト３２を省略しても良い。また、場合によっては、中綿を省略しても良いし、適宜内地を具備しても良い。さらに、ふとん側３は、外縁に、例えば、バイヤステープなどによるヘム３１を具備することができる。なお、マチを設けて立体マチにしなくてもよいし、また、ヘム３１をシングルやダブル等としてもよい。また、マチには、たるみをなくすため薄い硬綿等をあててもよい。
【００１５】
図４に、本発明のふとんの収納についての説明図を示す。図中（Ａ）は、巻き取りによる収納についての説明図を示し、（Ｂ）は３つ折による収納についての説明図を示す。図示のように本発明のふとんは収納に便利である。
【００１６】
【発明の効果】
本発明によると、以上のように、例えば、次のような顕著な効果を奏する。
・本発明によると、中芯が多数個、例えば２０個の個数を備えているため、従来、ポリエステル固綿の難点であった通気性が格段に改善されていること。
・本発明は、このように多数の中芯を備えていることにより、従来体圧が強くかかる所とまわりの中芯も全体的に沈みこんでいたが、体圧のかかる所の中芯のみ沈みこむため身体全体に体圧を分散させやすく改善されていること。また、長時間の寝姿勢を維持することに対する苦痛を和らげることができること。
・中芯の片面に直接打綿わた等のふとん側を縫い付けているため、ふとん側のわた面を表面として使用すると、ソフトなやわらかい感触であり、一方、中芯面を表面として使用するとハードな感触であり、ユーザーは好みの固さを選べられること。
・中芯のポリエステルの積層が、通常は、横向きのため、長時間圧力をかけていると、へたりやすいものであったが、本発明は、積層を縦向きにしているため長時間の圧力でもへたりにくい。
・３つ折り４つ折り等の複数に折っても、ロール状としても収納が可能であり、利便性が良いこと。
【図面の簡単な説明】
【図１】本発明に係るふとんの外観図。
【図２】本発明に係るふとんの拡大図。
【図３】本発明に係るふとんの断面図。
【図４】本発明のふとんの収納についての説明図。
【符号の説明】
１　中芯
２　中芯被覆布地
３　ふとん側
３１　ヘム
３２　キルト
３３　詰物
３４　側地
【図１】
2004141373.tif 000003
【図２】
2004141373.tif 000004
【図３】
2004141373.tif 000005
【図４】
2004141373.tif 000006